(57)【要約】【課題】記録媒体に対する吸着性を向上させることにより、ジャムの発生を抑制することが可能なインクジェット記録装置を提供する。【解決手段】インクジェット記録装置１００は、複数の記録ヘッド１７ａ〜１７ｃと、用紙Ｐを搬送する搬送ベルト８と、用紙Ｐを搬送ベルト８に吸着させる吸引部３０と、を備える。吸引部３０は、ガイド板４０と、吸引ケース５０と、上流側吸引装置６１および下流側吸引装置６２と、を有する。ガイド板４０には、複数の貫通穴４２が形成されている。吸引ケース５０は、上流側空気流通室５１と、下流側空気流通室５２と、上流側空気流通室５１および下流側空気流通室５２を区画する第１仕切り壁５５と、を有する。第１仕切り壁５５は、用紙幅方向に延びるように、記録ヘッド１７ａ〜１７ｃのうちの最上流に配置された第１ヘッド１７ｄの真下の位置に配置されている。【選択図】図１１
2019142608.tif 000002
【特許請求の範囲】
【請求項１】
記録媒体搬送方向に沿って配置され、記録媒体上にインクを吐出するインク吐出口を有する複数の記録ヘッドと、
前記記録ヘッドの下方に配置され、複数の通気孔が形成されるとともに前記記録媒体を搬送する搬送面を有する搬送ベルトと、
前記記録媒体を前記搬送ベルトに吸着させる吸引部と、
を備え、
前記吸引部は、
前記搬送ベルトの前記搬送面とは反対の裏面に接触して前記搬送ベルトを支持するとともに、複数の貫通穴が形成されたガイド板と、
前記ガイド板の下方に配置され、前記貫通穴に連通する上流側空気流通室と、前記上流側空気流通室に対して記録媒体搬送方向下流側に配置され前記貫通穴に連通する下流側空気流通室と、前記上流側空気流通室および前記下流側空気流通室を区画する第１仕切り壁と、を有する吸引ケースと、
前記上流側空気流通室および前記下流側空気流通室内の空気をそれぞれ吸引する上流側吸引装置および下流側吸引装置と、
を有し、
前記第１仕切り壁は、前記記録媒体搬送方向に直交する記録媒体幅方向に延びるように、前記複数の記録ヘッドのうちの前記記録媒体搬送方向の最上流に配置された第１ヘッドの真下の位置に配置されていることを特徴とするインクジェット記録装置。
【請求項２】
前記貫通穴は、前記第１ヘッドの前記記録媒体搬送方向の上流側端部に沿って配置されていることを特徴とする請求項１に記載のインクジェット記録装置。
【請求項３】
前記貫通穴は、前記各記録ヘッドの前記記録媒体搬送方向の上流側端部および下流側端部に沿って配置されていることを特徴とする請求項２に記載のインクジェット記録装置。
【請求項４】
前記第１ヘッドは、前記記録媒体幅方向に所定の間隔を隔てて複数配置されており、
前記第１ヘッド以外の前記記録ヘッドは、前記記録媒体搬送方向上流側から見て前記第１ヘッド同士の間を塞ぐように、前記第１ヘッドに対して前記記録媒体搬送方向下流側に隣接して配置される第２ヘッドを含み、
前記第１仕切り壁は、前記記録媒体幅方向に延びるように、前記第２ヘッドの真下の位置にも配置されていることを特徴とする請求項１〜３のいずれか１項に記載のインクジェット記録装置。
【請求項５】
前記第１仕切り壁は、前記第１ヘッドの真下の位置に配置され前記記録媒体幅方向に延びる第１仕切り部と、前記第２ヘッドの真下の位置に配置され前記記録媒体幅方向に延びる第２仕切り部と、前記記録媒体搬送方向に延びるとともに前記第１仕切り部の端部および前記第２仕切り部の端部同士を接続する第３仕切り部と、を有することを特徴とする請求項４に記載のインクジェット記録装置。
【請求項６】
前記下流側空気流通室は、中央流通室と、前記中央流通室に対して前記記録媒体幅方向の両側に配置される一対の外側流通室と、を有し、
前記中央流通室と前記外側流通室との間には、前記記録媒体搬送方向に延びる第２仕切り壁が設けられており、
前記下流側吸引装置は、前記中央流通室に接続される中央吸引装置と、前記一対の外側流通室にそれぞれ接続される一対の外側吸引装置と、を有することを特徴とする請求項１〜５のいずれか１項に記載のインクジェット記録装置。
【請求項７】
前記ガイド板の上面には、前記記録媒体搬送方向に沿って延びる複数の溝が形成されており、
前記貫通穴は、前記溝の内部に設けられていることを特徴とする請求項１〜６のいずれか１項に記載のインクジェット記録装置。
【請求項８】
前記貫通穴は、前記インク吐出口の真下の位置を避けて配置されていることを特徴とする請求項１〜７のいずれか１項に記載のインクジェット記録装置。
【発明の詳細な説明】
【技術分野】
【０００１】
本発明は、用紙のような記録媒体にインクを吐出する記録ヘッドと、記録ヘッドの下方に配置され記録媒体を搬送する搬送ベルトと、記録媒体を搬送ベルトに吸着させる吸引部と、を備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
このようなインクジェット記録装置として、記録ヘッドと、記録ヘッドの下方に配置され、複数の通気孔が形成され記録媒体を搬送する搬送ベルトと、記録媒体を搬送ベルトに吸着させる吸引部と、を備えたインクジェット記録装置が知られている。
【０００４】
なお、記録ヘッドと、複数の通気孔が形成され記録媒体を搬送する搬送ベルトと、記録媒体を搬送ベルトに吸着させる吸引部と、を備えたインクジェット記録装置は、例えば特許文献１に開示されている。
【先行技術文献】
【特許文献】
【０００５】
【特許文献１】特開２０１５−１９６３２１号公報
【発明の概要】
【発明が解決しようとする課題】
【０００６】
ところで、インクジェット記録装置では、インクを記録媒体の第１面に吐出して画像を形成すると、記録媒体の第１面にインクが浸透して第１面が膨張し、第１面が凸状になるように記録媒体にカールが生じる。このため、記録媒体の第２面に画像を形成するために記録媒体を記録ヘッドの下方に搬送する際に、記録媒体の先端部が上方（記録ヘッド側）に浮き上がる（反る）ので、記録媒体の先端部が記録ヘッドに当接してジャム（紙詰まり）が発生する、という問題点がある。
【０００７】
なお、吸引部の吸引力を大きくすれば、ジャムの発生を抑制することが可能であるが、記録ヘッドの下部における空気流が強くなるため、インクの着弾精度が低下したり、吸引部の駆動音が大きくなったりしてしまう。
【０００８】
本発明は、上記のような課題を解決するためになされたものであり、本発明の目的は、記録媒体に対する吸着性を向上させることにより、ジャムの発生を抑制することが可能なインクジェット記録装置を提供することである。
【課題を解決するための手段】
【０００９】
上記目的を達成するために、本発明の第１の局面のインクジェット記録装置は、記録媒体搬送方向に沿って配置され、記録媒体上にインクを吐出するインク吐出口を有する複数の記録ヘッドと、記録ヘッドの下方に配置され、複数の通気孔が形成されるとともに記録媒体を搬送する搬送面を有する搬送ベルトと、記録媒体を搬送ベルトに吸着させる吸引部と、を備える。吸引部は、搬送ベルトの搬送面とは反対の裏面に接触して搬送ベルトを支持するとともに、複数の貫通穴が形成されたガイド板と、ガイド板の下方に配置され、貫通穴に連通する上流側空気流通室と、上流側空気流通室に対して記録媒体搬送方向下流側に配置され貫通穴に連通する下流側空気流通室と、上流側空気流通室および下流側空気流通室を区画する第１仕切り壁と、を有する吸引ケースと、上流側空気流通室および下流側空気流通室内の空気をそれぞれ吸引する上流側吸引装置および下流側吸引装置と、を有する。第１仕切り壁は、記録媒体搬送方向に直交する記録媒体幅方向に延びるように、複数の記録ヘッドのうちの記録媒体搬送方向の最上流に配置された第１ヘッドの真下の位置に配置されている。
【発明の効果】
【００１０】
本発明の第１の局面のインクジェット記録装置によれば、上流側空気流通室および下流側空気流通室を区画する第１仕切り壁は、記録媒体幅方向に延びるように、複数の記録ヘッドのうちの記録媒体搬送方向の最上流に配置された第１ヘッドの真下の位置に配置されている。これにより、搬送ベルトによって記録媒体が搬送されるにしたがって、上流側空気流通室に接続された貫通穴が記録媒体によって塞がれるので、上流側空気流通室の負圧（大気圧に対する上流側空気流通室内の圧力の差）が大きくなる。そして、記録媒体の先端が第１ヘッドに到達する際に上流側空気流通室の負圧が十分に大きくなるので、記録媒体の先端部が上方にカールしている場合であっても記録媒体の先端部を搬送ベルトに吸着させることができる。このため、記録媒体の先端部が第１ヘッドに当接してジャム（紙詰まり）が発生するのを抑制することができる。
【００１１】
なお、本発明の第１の局面のインクジェット記録装置によれば、ジャムの発生を抑制するために吸引部の吸引力を大きくする必要がないので、インクの着弾精度が低下したり、吸引部の駆動音が大きくなったりするのを抑制することができる。
【図面の簡単な説明】
【００１２】
【図１】本発明の一実施形態のインクジェット記録装置の概略構造を示した断面図である。
【図２】本発明の一実施形態のインクジェット記録装置の第１ベルト搬送部および記録部の構造を示した断面図である。
【図３】本発明の一実施形態のインクジェット記録装置の第１ベルト搬送部および記録部を上方から示した図である。
【図４】本発明の一実施形態のインクジェット記録装置の記録部の構造を示した図である。
【図５】本発明の一実施形態のインクジェット記録装置の記録部のラインヘッドを構成する記録ヘッドの構造を示した図である。
【図６】本発明の一実施形態のインクジェット記録装置の記録ヘッドをインク吐出面側から示した図である。
【図７】本発明の一実施形態のインクジェット記録装置の第１ベルト搬送部の構造を示した平面図である。
【図８】本発明の一実施形態のインクジェット記録装置のガイド板の構造を上方から示した図である。
【図９】本発明の一実施形態のインクジェット記録装置のガイド板の溝および貫通穴の構造を示した斜視図である。
【図１０】本発明の一実施形態のインクジェット記録装置のガイド板の貫通穴とインク吐出領域との位置関係を示した図である。
【図１１】本発明の一実施形態のインクジェット記録装置の吸引ケース周辺の構造を示す平面図である。
【図１２】本発明の一実施形態のインクジェット記録装置の制御経路の一部を示すブロック図である。
【図１３】本発明の第１変形例のインクジェット記録装置の吸引ケース周辺の構造を示す平面図である。
【図１４】本発明の第２変形例のインクジェット記録装置の第１ベルト搬送部および記録部の構造を示した断面図である。
【発明を実施するための形態】
【００１３】
以下、本発明の実施形態について図面を参照して説明する。
【００１４】
図１に示すように、本発明の一実施形態のインクジェット記録装置１００は、装置本体１の内部下方に用紙収容部である給紙カセット２が配置されている。給紙カセット２の内部には、記録媒体の一例である用紙Ｐが収容されている。給紙カセット２の用紙搬送方向（記録媒体搬送方向）下流側、すなわち図１における給紙カセット２の右側の上方には給紙装置３が配置されている。この給紙装置３により、用紙Ｐは図１において給紙カセット２の右上方に向け、１枚ずつ分離されて送り出される。
【００１５】
また、インクジェット記録装置１００はその内部に第１用紙搬送路４ａを備えている。第１用紙搬送路４ａは、給紙カセット２に関して言えばその給紙方向である右上方に位置する。給紙カセット２から送り出された用紙Ｐは第１用紙搬送路４ａにより装置本体１の側面に沿って垂直上方に搬送される。
【００１６】
用紙搬送方向に対し第１用紙搬送路４ａの下流端にはレジストローラー対１３が備えられている。さらにレジストローラー対１３の用紙搬送方向下流側直近には第１ベルト搬送部５及び記録部９が配置されている。給紙カセット２から送り出された用紙Ｐは第１用紙搬送路４ａを通ってレジストローラー対１３に到達する。レジストローラー対１３は用紙Ｐの斜め送りを矯正しつつ記録部９が実行するインク吐出動作とのタイミングを計り、第１ベルト搬送部５に向かって用紙Ｐを送り出す。第１ベルト搬送部５は、用紙Ｐを吸着保持しながら搬送する。なお、第１ベルト搬送部５の詳細構造については後述する。
【００１７】
用紙搬送方向に対し第１ベルト搬送部５の下流側（図１の左側）には、用紙Ｐを吸着保持しながら搬送する第２ベルト搬送部１２が配置されている。記録部９にてインク画像が記録された用紙Ｐは第２ベルト搬送部１２へと送られ、第２ベルト搬送部１２を通過する間に用紙Ｐ表面に吐出されたインクが乾燥される。
【００１８】
用紙搬送方向に対し第２ベルト搬送部１２の下流側であって装置本体１の左側面近傍にはデカーラー部１４が備えられている。第２ベルト搬送部１２にてインクが乾燥された用紙Ｐはデカーラー部１４へと送られ、用紙Ｐに生じたカールが矯正される。
【００１９】
用紙搬送方向に対しデカーラー部１４の下流側（図１の上方）には第２用紙搬送路４ｂが備えられている。デカーラー部１４を通過した用紙Ｐは両面記録を行わない場合、第２用紙搬送路４ｂからインクジェット記録装置１００の左側面外部に設けられた用紙排出トレイ１５に排出される。
【００２０】
装置本体１の上部であって記録部９及び第２ベルト搬送部１２の上方には両面記録を行うための反転搬送路１６が備えられている。両面記録を行う場合には第１面への記録が終了して第２ベルト搬送部１２及びデカーラー部１４を通過した用紙Ｐが第２用紙搬送路４ｂを通って反転搬送路１６へと送られる。反転搬送路１６へ送られた用紙Ｐは、続いて第２面の記録のために搬送方向が切り替えられ、装置本体１の上部を通過して右側に向かって送られ、第１用紙搬送路４ａ、及びレジストローラー対１３を経て第２面を上向きにした状態で再度第１ベルト搬送部５へと送られる。
【００２１】
また、第２ベルト搬送部１２の下方にはワイプユニット１９及びキャップユニット５０が配置されている。ワイプユニット１９は、パージを実行する際に記録部９の下方に水平移動し、記録ヘッドのインク吐出口から押出（パージ）されたインクを拭き取り、拭き取られたインクを回収する。キャップユニット５０は、記録ヘッドのインク吐出面をキャッピングする際に記録部９の下方に水平移動し、さらに上方に移動して記録ヘッドの下面に装着される。
【００２２】
記録部９は図２〜図４に示すように、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、後述する搬送ベルト８の搬送面８ａに対して所定の間隔（例えば２ｍｍ）が形成されるような高さに支持され、用紙搬送方向（矢印Ｘ方向）と直交する用紙幅方向（記録媒体幅方向、矢印ＹＹ´方向）に沿って複数（ここでは３個）の記録ヘッド１７ａ〜１７ｃが千鳥状に配列されている。具体的には、図３および図４に示すように、記録ヘッド１７ａと記録ヘッド１７ｃとは用紙幅方向に所定の間隔を隔てて配置されており、記録ヘッド１７ｂは用紙搬送方向上流側（図３の右側）から見て記録ヘッド１７ａおよび１７ｃ同士の間を塞ぐように、記録ヘッド１７ａおよび１７ｃに対して用紙搬送方向下流側に隣接して配置されている。ラインヘッド１１Ｃ〜１１Ｋは、搬送される用紙Ｐの幅以上の記録領域を有しており、搬送ベルト８上を搬送される用紙Ｐに対して、印字位置に対応したインク吐出口から水性インクを吐出できるようになっている。
【００２３】
図５及び図６に示すように、記録ヘッド１７ａ〜１７ｃのインク吐出面Ｆにはインク吐出口１８（図３参照）が多数配列されたインク吐出領域Ｒが設けられている。なお、記録ヘッド１７ａ〜１７ｃは同一の形状及び構成であるため、図５及び図６では記録ヘッド１７ａ〜１７ｃを一つの図で示している。また、図３及び図４に示すように、同一のラインヘッド１１Ｃ〜１１Ｋを構成する３個の記録ヘッド１７ａ〜１７ｃは、各記録ヘッド１７ａ〜１７ｃに設けられたインク吐出口１８の一部が用紙搬送方向に重複するように端部をオーバーラップさせて配置されている。
【００２４】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２５】
各記録ヘッド１７ａ〜１７ｃは、インクジェット記録装置１００全体を制御する制御部１１０（図１参照）からの制御信号により、外部コンピューター等から受信した画像データに応じて、第１ベルト搬送部５に吸着保持されて搬送される用紙Ｐに向かってインク吐出口１８からインクを吐出する。これにより、搬送ベルト８上の用紙Ｐにはシアン、マゼンタ、イエロー、ブラックの４色のインクが重ね合わされたカラー画像が形成される。
【００２６】
次に、第１ベルト搬送部５周辺の構造について詳細に説明する。
【００２７】
第１ベルト搬送部５は図２に示すように、駆動ローラー６、テンションローラー７および一対のガイドローラー２１に巻き掛けられた無端状の搬送ベルト８を備えている。駆動ローラー６が回転することによって、搬送ベルト８が図２において反時計回り方向に回転するとともに、テンションローラー７および一対のガイドローラー２１が従動回転する。レジストローラー対１３によって送り出された用紙Ｐは搬送ベルト８の搬送面８ａ（図２において上面）に保持され、図２の矢印Ｘ方向（右方から左方）へと搬送される。
【００２８】
搬送ベルト８には図７に示すように、多数の空気吸引用の通気孔８ｂが設けられている。通気孔８ｂは、１．５ｍｍ〜２．５ｍｍの直径を有し、５ｍｍ〜１０ｍｍの間隔を隔てて千鳥状に配置されている。
【００２９】
図２に示すように、搬送ベルト８の内側には、用紙Ｐを搬送ベルト８に吸着させる吸引部３０が設けられている。
【００３０】
吸引部３０は、搬送ベルト８の搬送面８ａとは反対の裏面（内面）に接触して搬送ベルト８を支持するガイド板４０と、ガイド板４０の下方に配置される吸引ケース５０と、吸引ケース５０の下方に配置され空気を吸引する複数の吸引装置６０と、を有する。
【００３１】
ガイド板４０の用紙搬送方向上流側（図２の右側）の端部上には、搬送ベルト８を挟んでガイド板４０に対向するように吸着ローラー２２が配置されている。吸着ローラー２２は、搬送ベルト８の回転に伴って回転する従動ローラーであり、レジストローラー対１３から送り出された用紙Ｐを搬送ベルト８の搬送面８ａに案内する。
【００３２】
ガイド板４０は、例えばＰＰＳ等の樹脂からなり、吸引ケース５０の上部開口を覆うように形成されている。図２および図８に示すように、ガイド板４０の上面には、用紙搬送方向に沿って延びる長円形状の複数の溝４１が形成されている。溝４１は、用紙搬送方向および用紙幅方向に所定のピッチで配置されており、ガイド板４０の略全域に設けられている。溝４１は、約６ｍｍの幅（用紙幅方向の長さ）と、約２ｍｍ〜３ｍｍの深さと、を有するように形成されている。なお、図８では、理解を容易にするために、記録ヘッド１７ａ〜１７ｃを太い２点鎖線で示している。
【００３３】
図８および図９に示すように、溝４１の内部の所定位置には、ガイド板４０を厚み方向に貫通する貫通穴４２が設けられている。貫通穴４２は、約６ｍｍの直径に形成されている。
【００３４】
貫通穴４２は図１０に示すように、インク吐出口１８（図１０ではインク吐出領域Ｒを示している）の真下の位置を避けて配置されている。なお、図１０では、理解を容易にするために、記録ヘッド１７ａ〜１７ｃを太い２点鎖線で示すとともに、インク吐出領域Ｒにハッチングを施している。
【００３５】
また、貫通穴４２は図８に示すように、平面視において各記録ヘッド１７ａ〜１７ｃの用紙搬送方向の上流側端部（上流端）および下流側端部（下流端）に沿って配置されている。また、貫通穴４２は、ラインヘッド１１Ｃの記録ヘッド１７ａおよび１７ｃ（用紙搬送方向の最上流に配置された記録ヘッド１７ａおよび１７ｃ）に対して用紙搬送方向上流側（図８の下側）にも配置されているとともに、ラインヘッド１１Ｋの記録ヘッド１７ａおよび１７ｃに対して用紙搬送方向下流側（図８の上側）にも配置されている。
【００３６】
吸引ケース５０は、例えば樹脂からなり、図２に示すように上面が開口した箱形状に形成されている。吸引ケース５０は、複数の貫通穴４２に連通する上流側空気流通室５１と、上流側空気流通室５１に対して用紙搬送方向下流側に配置され複数の貫通穴４２に連通する下流側空気流通室５２と、を有する。図１１に示すように、上流側空気流通室５１は、吸引ケース５０の用紙幅方向の一端（図１１の左端）から他端（図１１の右端）まで形成されている。その一方、下流側空気流通室５２は、吸引ケース５０の用紙幅方向中央部に配置される中央流通室５２ａと、中央流通室５２ａに対して用紙幅方向の両側に配置される一対の外側流通室５２ｂおよび５２ｃと、に区画されている。
【００３７】
また、吸引ケース５０には、上流側空気流通室５１と下流側空気流通室５２とを区画する第１仕切り壁５５と、中央流通室５２ａと外側流通室５２ｂとを区画する第２仕切り壁５６ａと、中央流通室５２ａと外側流通室５２ｃとを区画する第２仕切り壁５６ｂと、が設けられている。なお、図１１では、理解を容易にするために、第１仕切り壁５５、第２仕切り壁５６ａおよび５６ｂを太線で示している。
【００３８】
第１仕切り壁５５は、用紙幅方向に延びるように形成されている。第１仕切り壁５５は、複数の記録ヘッド１７ａ〜１７ｃのうちの用紙搬送方向の最上流に配置された第１ヘッド１７ｄ（ラインヘッド１１Ｃの記録ヘッド１７ａおよび１７ｃ）の真下の位置に配置され用紙幅方向に延びる一対の第１仕切り部５５ａと、第１ヘッド１７ｄに対して用紙搬送方向下流側に隣接して配置される第２ヘッド１７ｅ（ラインヘッド１１Ｃの記録ヘッド１７ｂ）の真下の位置に配置され用紙幅方向に延びる第２仕切り部５５ｂと、用紙搬送方向に延びるとともに第１仕切り部５５ａの端部および第２仕切り部５５ｂの端部同士を接続する一対の第３仕切り部５５ｃと、を有する。なお、第２仕切り部５５ｂの用紙幅方向の中央部は、後述する開口部５３を避けるように円弧状に形成されている。
【００３９】
第２仕切り壁５６ａおよび５６ｂは、第１仕切り壁５５の第３仕切り部５５ｃを延長するように用紙搬送方向に延びて形成されている。また、第１仕切り壁５５の第３仕切り部５５ｃ、第２仕切り壁５６ａおよび５６ｂは、記録ヘッド１７ｂの用紙幅方向の両端に沿って配置されている。
【００４０】
吸引装置６０は、ファンによって構成されている。吸引装置６０は、上流側空気流通室５１および下流側空気流通室５２内の空気をそれぞれ吸引する上流側吸引装置６１および下流側吸引装置６２を含んでいる。下流側吸引装置６２は、中央流通室５２ａに接続される中央吸引装置６２ａと、一対の外側流通室５２ｂおよび５２ｃにそれぞれ接続される一対の外側吸引装置６２ｂおよび６２ｃと、を有する。
【００４１】
上流側空気流通室５１、中央流通室５２ａ、外側流通室５２ｂおよび５２ｃのそれぞれの底面の所定位置には、円形状の開口部５３が形成されている。上流側吸引装置６１、中央吸引装置６２ａ、外側吸引装置６２ｂおよび６２ｃは、開口部５３を介して上流側空気流通室５１、中央流通室５２ａ、外側流通室５２ｂおよび５２ｃの空気をそれぞれ吸引する。これにより、上流側空気流通室５１、中央流通室５２ａ、外側流通室５２ｂおよび５２ｃが負圧になり、用紙Ｐが搬送ベルト８に吸着される。
【００４２】
図１２に示すように、制御部１１０は、ＣＰＵ（Central Processing Unit）、ＲＯＭ（Read Only Memory）およびＲＡＭ（Random Access Memory）等によって構成されている。また、制御部１１０は、記録部９、第１ベルト搬送部５、第２ベルト搬送部１２、デカーラー部１４、ワイプユニット１９、キャップユニット５０および各種ローラー等を制御可能に構成されている。
【００４３】
ＲＯＭには、インクジェット記録装置１００の制御用プログラムや、制御上の必要な数値等、インクジェット記録装置１００の使用中に変更されることがないようなデータ等が収められている。また、ＲＯＭには、画像データおよび用紙Ｐの種類とカール量とを関連付けたデータも記憶されている。なお、用紙Ｐの種類（例えば、厚み、材質、坪量、サイズ）については、外部コンピューターにユーザーが入力した情報を受信してもよいし、メディアセンサーを用いて記録媒体の種類を検知してもよい。
【００４４】
ＲＡＭには、インクジェット記録装置１００の制御途中で発生した必要なデータや、インクジェット記録装置１００の制御に一時的に必要となるデータ等が記憶される。
【００４５】
制御部１１０は、各吸引装置６０（上流側吸引装置６１、中央吸引装置６２ａ、外側吸引装置６２ｂおよび６２ｃ）を個別に制御可能である。また、制御部１１０は、各吸引装置６０をオンオフするだけでなく、吸引装置６０の回転数（すなわち吸引力）を増減することが可能である。
【００４６】
また、制御部１１０は、画像データ（具体的には、インク量および印字率の少なくとも一方）と用紙Ｐの種類とに基づいて、用紙Ｐに生じるカール量を予測可能である。
【００４７】
次に、本実施形態のインクジェット記録装置１００の印字動作について説明する。
【００４８】
用紙Ｐの両面（第１面および第２面）に印字を行う場合、制御部１１０は、第１面に印字する画像データと用紙Ｐの種類とに基づいて、用紙Ｐに生じるカール量を予測する。用紙Ｐのカール量（予測したカール量）が所定値以上である場合、ジャムの発生の可能性が高いため、制御部１１０は、吸引装置６０の回転数を所定値に設定した状態で印字動作を実行する。このとき、用紙Ｐの第１面に印字を行う際も第２面に印字を行う際も、吸引装置６０の回転数を同一の値に設定する。すなわち、第１面への印字と第２面への印字との間（１枚の用紙Ｐに対する印字中）では吸引装置６０の回転数を変更しない。
【００４９】
その一方、用紙Ｐのカール量（予測したカール量）が所定値未満である場合、ジャムの発生の可能性が低いため、制御部１１０は、吸引装置６０の回転数を必要最低限まで低下した状態で印字動作を実行する。
【００５０】
また、用紙Ｐの片面（第１面）にのみ印字を行う場合、記録ヘッド１７ａ〜１７ｃに搬送される用紙Ｐにはカールが発生していないため、ジャムの発生の可能性が低い。このため、制御部１１０は、吸引装置６０の回転数を必要最低限まで低下した状態で印字動作を実行する。
【００５１】
さらに、制御部１１０は、吸引装置６０の一部を停止したり、吸引装置６０の一部の回転数を低下させたりしてもよい。例えば、外側流通室５２ｂ上から外側流通室５２ｃ上まで達するサイズ（Ａ４サイズなど）の用紙Ｐがカールしていない（又はカール量の少ない）場合には、中央吸引装置６２ａを停止したり、中央吸引装置６２ａの回転数を低下させたりした状態で印字動作を実行してもよい。また、制御部１１０は、外側流通室５２ｂ上および外側流通室５２ｃ上を通過しないサイズ（中央流通室５２ａ上のみを通過するサイズ、Ａ５サイズ縦など）の用紙Ｐがカールしていない（又はカール量の少ない）場合には、外側吸引装置６２ｂおよび６２ｃを停止したり、外側吸引装置６２ｂおよび６２ｃの回転数を低下させたりした状態で印字動作を実行してもよい。
【００５２】
本実施形態では、上記のように、上流側空気流通室５１および下流側空気流通室５２を区画する第１仕切り壁５５は、用紙幅方向に延びるように、複数の記録ヘッド１７ａ〜１７ｃのうちの用紙搬送方向の最上流に配置された第１ヘッド１７ｄの真下の位置に配置されている。これにより、搬送ベルト８によって用紙Ｐが搬送されるにしたがって、上流側空気流通室５１に接続された貫通穴４２（ここでは溝４１）が用紙Ｐによって塞がれるので、上流側空気流通室５１の負圧（大気圧に対する上流側空気流通室５１内の圧力の差）が大きくなる。そして、用紙Ｐの先端が第１ヘッド１７ｄに到達する際に上流側空気流通室５１の負圧が十分に大きくなるので、用紙Ｐの先端部が上方にカールしている場合であっても用紙Ｐの先端部を搬送ベルト８に吸着させることができる。このため、用紙Ｐの先端部が第１ヘッド１７ｄに当接してジャム（紙詰まり）が発生するのを抑制することができる。
【００５３】
なお、本実施形態のインクジェット記録装置１００によれば、ジャムの発生を抑制するために吸引部３０の吸引力を大きくする必要がないので、インクの着弾精度が低下したり、吸引部３０の駆動音が大きくなったりするのを抑制することができる。
【００５４】
また、上記のように、貫通穴４２は、第１ヘッド１７ｄの用紙搬送方向の上流側端部に沿って配置されている。これにより、用紙Ｐの先端が第１ヘッド１７ｄに到達する直前に用紙Ｐの先端部を搬送ベルト８に吸着させることができるので、用紙Ｐの先端部が第１ヘッド１７ｄに当接するのをより抑制することができる。
【００５５】
また、上記のように、貫通穴４２は、各記録ヘッド１７ａ〜１７ｃの用紙搬送方向の上流側端部および下流側端部に沿って配置されている。これにより、用紙Ｐの先端部が用紙搬送方向に隣接する記録ヘッド１７ａおよび１７ｃと記録ヘッド１７ｂとの間に入り込むのを抑制することができるので、ジャム（紙詰まり）が発生するのをより抑制することができる。
【００５６】
また、上記のように、第１仕切り壁５５は、用紙幅方向に延びるように、第２ヘッド１７ｅの真下の位置にも配置されている。これにより、用紙Ｐの先端が第２ヘッド１７ｅに到達する直前に上流側空気流通室５１の負圧がさらに大きくなるので、用紙Ｐの先端部が第２ヘッド１７ｅに当接してジャムが発生するのを抑制することができる。
【００５７】
また、上記のように、第１仕切り壁５５は、第１ヘッド１７ｄの真下の位置に配置され用紙幅方向に延びる第１仕切り部５５ａと、第２ヘッド１７ｅの真下の位置に配置され用紙幅方向に延びる第２仕切り部５５ｂと、用紙搬送方向に延びるとともに第１仕切り部５５ａの端部および第２仕切り部５５ｂの端部同士を接続する第３仕切り部５５ｃと、を有する。これにより、第１仕切り壁５５を、用紙幅方向に延びるように、第１ヘッド１７ｄの真下の位置と第２ヘッド１７ｅの真下の位置とに容易に配置することができる。
【００５８】
また、上記のように、下流側空気流通室５２は、中央流通室５２ａと、中央流通室５２ａに対して用紙幅方向の両側に配置される一対の外側流通室５２ｂおよび５２ｃと、を有し、下流側吸引装置６２は、中央流通室５２ａに接続される中央吸引装置６２ａと、一対の外側流通室５２ｂおよび５２ｃにそれぞれ接続される一対の外側吸引装置６２ｂおよび６２ｃと、を有する。これにより、用紙Ｐのカール状態や用紙Ｐのサイズに応じて、吸引装置６０の一部を停止したり、吸引装置６０の一部の回転数を低下させたりすることができるので、消費電力を抑制することができる。
【００５９】
また、上記のように、ガイド板４０の上面には、用紙搬送方向に沿って延びる複数の溝４１が形成されており、貫通穴４２は、溝４１の内部に設けられている。これにより、貫通穴４２を容易に、溝４１を介して搬送ベルト８の通気孔８ｂに常時接続させることができるので、貫通穴４２が搬送ベルト８によって塞がれるのを容易に防止することができる。
【００６０】
また、上記のように、貫通穴４２は、インク吐出口１８の真下の位置を避けて配置されている。これにより、記録ヘッド１７ａ〜１７ｃのインク吐出面Ｆと搬送ベルト８の搬送面８ａとの間の空気流が大きくなるのを抑制することができるので、インクの着弾精度が低下するのをより抑制することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
例えば、上記実施形態では、３個の記録ヘッド１７ａ〜１７ｃによって１個のラインヘッドが構成されている例について示したが、本発明はこれに限らない。例えば、１個の記録ヘッドによって１個のラインヘッドが構成されていてもよい。また、２個又は４個以上の記録ヘッドによって１個のラインヘッドが構成されていてもよい。
【００６３】
また、上記実施形態では、第１仕切り壁５５が第２ヘッド１７ｅの真下の位置にも配置されている例について示したが、本発明はこれに限らない。例えば図１３に示した本発明の第１変形例のインクジェット記録装置１００の吸引ケース５０のように、第１仕切り壁５５は第２ヘッド１７ｅの真下の位置に配置されていなくてもよい。すなわち、第１仕切り壁５５は用紙幅方向に延びる一直線状に形成されていてもよい。
【００６４】
また、上記実施形態では、図２に示したように、第１仕切り壁５５によって区画された上流側空気流通室５１と下流側空気流通室５２とが溝４１によって繋がっている例について示したが、本発明はこれに限らない。例えば図１４に示した本発明の第２変形例のインクジェット記録装置１００のように、ガイド板４０に区画壁４５を設け、上流側空気流通室５１と下流側空気流通室５２とが溝４１によって繋がらないように構成してもよい。
【００６５】
また、上述した実施形態および変形例の構成を適宜組み合わせて得られる構成についても、本発明の技術的範囲に含まれる。
【符号の説明】
【００６６】
８  搬送ベルト
８ａ  搬送面
８ｂ  通気孔
１７ａ〜１７ｃ  記録ヘッド
１７ｄ  第１ヘッド
１７ｅ  第２ヘッド
１８  インク吐出口
３０  吸引部
４０  ガイド板
４１  溝
４２  貫通穴
５０  吸引ケース
５１  上流側空気流通室
５２  下流側空気流通室
５２ａ  中央流通室
５２ｂ、５２ｃ  外側流通室
５５  第１仕切り壁
５５ａ  第１仕切り部
５５ｂ  第２仕切り部
５５ｃ  第３仕切り部
５６ａ、５６ｂ  第２仕切り壁
６１  上流側吸引装置
６２  下流側吸引装置
６２ａ  中央吸引装置
６２ｂ、６２ｃ  外側吸引装置
１００  インクジェット記録装置
Ｐ  用紙（記録媒体）
【図１】
2019142608.tif 000003
【図２】
2019142608.tif 000004
【図３】
2019142608.tif 000005
【図４】
2019142608.tif 000006
【図５】
2019142608.tif 000007
【図６】
2019142608.tif 000008
【図７】
2019142608.tif 000009
【図８】
2019142608.tif 000010
【図９】
2019142608.tif 000011
【図１０】
2019142608.tif 000012
【図１１】
2019142608.tif 000013
【図１２】
2019142608.tif 000014
【図１３】
2019142608.tif 000015
【図１４】
2019142608.tif 000016